(57)【要約】【課題】大規模な駐輪場に対して、管理者側と利用者側のいずれか一方又は双方の労力的負担を軽減することが可能な駐輪状況監視システムを提供する。【解決手段】駐輪場内に設けられ、定期契約利用者用のＩＣタグ読取機能付駐輪監視装置１１（１１１〜１１ｊ）、及び一時利用者用の課金機能付駐輪監視装置１２（１２１〜１２ｋ）からなり、各自転車の駐輪を監視して監視情報を出力する駐輪監視装置１０と、監視情報が入力され、情報処理装置２１（２１ａ、２１ｂ、２１ｃ）及び管理に必要なデータベース（２２ａ、２２ｂ、２２ｃ）を記憶する記憶装置２２を有し、管理情報を出力するホストシステム２０と、管理情報に基づいて駐輪を管理する情報管理装置３０（３０１〜３０ｍ）と、装置又はシステム間を通信可能に接続するネットワーク４０と、を備え、必要に応じて他駐輪場駐輪状況監視システム５０１〜５０ｎに接続可能な構成を有している。【選択図】図１
2008117341.tif 000002
【特許請求の範囲】
【請求項１】
駐輪場内に配置され、駐輪を検知して自転車に設けられたＩＣチップから駐輪の契約を特定する契約ＩＤを読み取る、１つ以上のＩＣタグ読取機能付駐輪監視装置と、前記契約ＩＤと契約内容とが対応付けられた契約情報を記憶する記憶装置と、前記各ＩＣタグ読取機能付駐輪監視装置が読み取った契約ＩＤ、及び前記契約情報に基づいて駐輪を管理する情報処理装置と、を備えたことを特徴とする駐輪状況監視システム。
【請求項２】
駐輪場内に配置され、駐輪を検知して利用者が有するＩＣカード及びＩＣチップ内蔵携帯電話を含む電磁的媒体から利用料を徴収する、１つ以上の課金機能付駐輪監視装置と、前記各課金機能付駐輪監視装置による利用料の徴収に基づいて駐輪を管理する情報処理装置と、を備えたことを特徴とする駐輪状況監視システム。
【請求項３】
前記情報処理装置が管理する駐輪の管理情報に基づいて、前記駐輪場の空き情報を表示する情報管理装置を備えたことを特徴とする請求項１又は請求項２に記載の駐輪状況監視システム。
【請求項４】
請求項１に記載の駐輪状況監視システム、及び請求項２に記載の駐輪状況監視システムのうちのいずれか又は両方からなる、複数の駐輪状況監視システムが、相互にネットワークを介して通信可能に接続されることを特徴とする駐輪状況監視システム。
【発明の詳細な説明】
【技術分野】
【０００１】
本発明は、駐輪場において、利用者の駐輪を管理する駐輪状況監視システムに関する。
【背景技術】
【０００２】
通勤、通学、買い物等で利用する身近な乗り物として自転車がある。駅前、繁華街等には駐輪場が配備され、利用者はこれらの駐輪場に自転車を停めることができる。一般に、駐輪場を利用する方法には、定期契約利用と一時利用とがある。定期契約利用では、駐輪場側の者と定期契約を結び、契約期間分の利用料を予め支払う。この場合、契約シールを自転車に貼って、対象の自転車が契約者のものであることを証明する。また、一時利用では、利用毎に受付窓口で一時利用料を支払う。この場合、一時利用タグを自転車に取り付けて、対象の自転車が一時利用者のものであることを証明する。
【０００３】
いずれの利用者も、駐輪のときは、空きスペースを自分で探し、空いているスペースに駐輪する。駐輪場管理者は、駐輪場内を見回り、契約シール、一時利用タグ等を確認して、無断駐輪、放置自転車等がないか確認する。駐輪場管理者は、また、一時利用者の依頼に応じて混雑状況を把握して受付手続きを行い、空きスペースが無くなった場合には利用制限を行なう等の管理業務を行っている。従来、駐輪場の管理システムとしては、例えば特許文献１に記載されたものがある。
【特許文献１】特開２００１−００５８６９号公報
【発明の開示】
【発明が解決しようとする課題】
【０００４】
しかしながら、従来の駐輪状況監視システムでは、駐輪台数が数１００台〜数１０００台等の大規模な駐輪場に対する、労力的負担の軽減が十分に考慮されていないという問題を有していた。その結果、管理者が、全ての自転車の契約の有無を確認すること、時々刻々と変化する空きスペース数を把握すること等に、過大な負担を負うことになっていた。また、利用者に関しては、一時利用のための受付手続きを行なう負担、駐輪のために空きスペースを探す負担等が必要となり、結果的に駐輪に時間が長くかかってしまうという問題があった。
【０００５】
以上の現状に鑑み、本発明の目的は、大規模な駐輪場に対して、管理者側と利用者側のいずれか一方又は双方の労力的負担を軽減することが可能な駐輪状況監視システムを提供する。
【課題を解決するための手段】
【０００６】
上記の課題を解決すべく、本発明は以下の構成を提供する。
請求項１に係る発明は、駐輪場内に配置され、駐輪を検知して自転車に設けられたＩＣチップから駐輪の契約を特定する契約ＩＤを読み取る、１つ以上のＩＣタグ読取機能付駐輪監視装置と、前記契約ＩＤと契約内容とが対応付けられた契約情報を記憶する記憶装置と、前記各ＩＣタグ読取機能付駐輪監視装置が読み取った契約ＩＤ、及び前記契約情報に基づいて駐輪を管理する情報処理装置と、を備えたことを特徴とする。
【０００７】
請求項２に係る発明は、駐輪場内に配置され、駐輪を検知して利用者が有するＩＣカード及びＩＣチップ内蔵携帯電話を含む電磁的媒体から利用料を徴収する、１つ以上の課金機能付駐輪監視装置と、前記各課金機能付駐輪監視装置による利用料の徴収に基づいて駐輪を管理する情報処理装置と、を備えたことを特徴とする。
【０００８】
請求項３に係る発明は、請求項１又は請求項２に記載の駐輪状況監視システムにおいて、前記情報処理装置が管理する駐輪の管理情報に基づいて、前記駐輪場の空き情報を表示する情報管理装置を備えたことを特徴とする。
【０００９】
請求項４に係る発明は、請求項１に記載の駐輪状況監視システム、及び請求項２に記載の駐輪状況監視システムのうちのいずれか又は両方からなる、複数の駐輪状況監視システムが、相互にネットワークを介して通信可能に接続されることを特徴とする。
【発明の効果】
【００１０】
請求項１に係る発明によれば、駐輪場内に配置され、駐輪を検知して自転車に設けられたＩＣチップから駐輪の契約を特定する契約ＩＤを読み取る、１つ以上のＩＣタグ読取機能付駐輪監視装置と、前記契約ＩＤと契約内容とが対応付けられた契約情報を記憶する記憶装置と、前記各ＩＣタグ読取機能付駐輪監視装置が読み取った契約ＩＤ、及び前記契約情報に基づいて駐輪を管理する情報処理装置と、を備えるため、大規模な駐輪場に対して、少なくとも管理者側の労力的負担を軽減することが可能な駐輪状況監視システムを実現することができる。
【００１１】
請求項２に係る発明によれば、駐輪場内に配置され、駐輪を検知して利用者が有するＩＣカード及びＩＣチップ内蔵携帯電話を含む電磁的媒体から利用料を徴収する、１つ以上の課金機能付駐輪監視装置と、前記各課金機能付駐輪監視装置による利用料の徴収に基づいて駐輪を管理する情報処理装置と、を備えるため、大規模な駐輪場に対して、少なくとも利用者側の労力的負担を軽減することが可能な駐輪状況監視システムを実現することができる。
【００１２】
請求項３に係る発明によれば、上記請求項１又は請求項２の効果に加えて、前記情報処理装置が管理する駐輪の管理情報に基づいて、前記駐輪場の空き情報を表示する情報管理装置を備えるため、大規模な駐輪場に対して、管理者側と利用者側のいずれか一方又は双方の労力的負担を、さらに軽減することができる。
【００１３】
請求項４に係る発明によれば、上記請求項１又は請求項２の効果に加えて、請求項１に記載の駐輪状況監視システム、及び請求項２に記載の駐輪状況監視システムのうちのいずれか又は両方からなる、複数の駐輪状況監視システムが、相互にネットワークを介して通信可能に接続されるため、大規模な駐輪場に対して、少なくとも利用者側の労力的負担を軽減することが可能な駐輪状況監視システムを実現することができる。
【発明を実施するための最良の形態】
【００１４】
以下、実施例を示した図面を参照しつつ本発明の実施の形態について説明する。
図１は本発明による駐輪状況監視システムの構成を示すブロック図であり、図２は本発明による駐輪状況監視システムについて説明するための概念図である。駐輪状況監視システム１は、図１に示すように、駐輪場内に設けられ駐輪を監視して監視情報を出力する駐輪監視装置１０と、駐輪監視装置１０から監視情報が入力され管理情報を出力するホストシステム２０と、ホストシステム２０が出力した管理情報に基づいて駐輪を管理する情報管理装置３０と、駐輪監視装置１０、ホストシステム２０、及び情報管理装置３０間を通信可能に接続するネットワーク４０とを備える。
【００１５】
以下では、駐輪する自転車としては、図２に示すように、定期利用契約を結んで利用する定期契約利用者の自転車２ａと、一時的に利用する一時利用者の自転車３ａとを対象とする。そして、駐輪場が、定期契約利用者用エリアと一時利用者用エリアとに分けられているのでもよい。また、駐輪状況監視システム１は、図１及び図２に示すように、ネットワーク４０を介して、他の駐輪場に設置された駐輪状況監視システムに接続され、他の駐輪場の駐輪状況を監視できるようになっているのでもよい。以下、他の駐輪場に設けられた駐輪状況監視システムを他駐輪場駐輪状況監視システム５０といい、他駐輪場駐輪状況監視システム５０がネットワーク４０を介してこの駐輪状況監視システム１に接続されているものとする。
【００１６】
駐輪監視装置１０は、定期契約利用者の自転車２ａの駐輪を管理するＩＣタグ読取機能付駐輪監視装置１１（１１１〜１１ｊ）と、一時利用者の自転車３ａの駐輪を管理する課金機能付駐輪監視装置１２（１２１〜１２ｋ）とを１つ以上有する。ここで、図２に示すように、自転車２ａには定期利用契約を特定する契約ＩＤが記録されたＩＣタグ２ｂが貼り付けられ、定期契約利用者が自転車２ａをＩＣタグ読取機能付駐輪監視装置１１に駐輪させると、ＩＣタグ読取機能付駐輪監視装置１１が駐輪を検知し、自転車２ａに貼り付けられたＩＣタグから契約ＩＤを読み取る。ここで、駐輪の有無は、駐輪監視装置１０に自転車２ａ、３ａが入れられたことを、スイッチ、センサ等を用いて検出されるのでもよい。
【００１７】
また、一時利用者の自転車３ａは課金方式で管理されるものとし、利用者は、例えば、課金機能付駐輪監視装置１２に、自己の有するＩＣカード３ｂ、ＩＣチップ内蔵携帯電話３ｃ等に対して読み出しと書き込みを行わせ、利用料金を清算させる。具体的には、課金機能付駐輪監視装置１２は、駐輪を検知し、利用者がかざしたＩＣカード３ｂ、ＩＣチップ内蔵携帯電話３ｃ等から利用料の読み出し及び書き込みを行って利用料を徴収する。
【００１８】
ホストシステム２０は、コンピュータ等からなり、情報処理機能及び通信機能を少なくとも有する情報処理装置２１と、所定のデータを格納する記憶装置２２とを有する。記憶装置２２は、定期利用契約に関する契約情報が記録される契約者データベース２２ａと、駐輪場の利用状況が記録される利用状況データベース２２ｂと、他駐輪場に関する情報が記録される駐輪場データベース２２ｃとを記憶する。情報処理装置２１は、データベースの更新を行なうデータベース（ＤＢ）更新部２１ａと、契約ＩＤの検索等の所定の検索を行なう検索処理部２１ｂと、ネットワーク４０を介してデータの送受信を行う送受信部２１ｃとを有する。
【００１９】
駐輪監視装置１０が取得した所定の情報は、ホストシステム２０に送信され、利用状況データベース２２ｂが更新される。利用が終了した場合、利用者の手続きは、従来と同様に自転車を駐輪監視装置１０から移動させることによって完了する。自転車を移動させると、駐輪監視装置１０が移動を検知し、自転車が移動されたという情報がホストシステム２０に送信されホストシステム２０のデータベース２２が更新される。ただし、不正利用者の自転車に関しては、自転車が駐輪監視装置１０によってロックされるため、管理者に利用料を支払い、ロック解除してもらった後に移動し、ホストシステム２０に所定の信号を送信する等の所定の手続きを必要とする。
【００２０】
情報管理装置３０は、例えば、図２に示すように、駐輪場入口付近に配置され駐輪場の空き等の駐輪場の利用状況を表示する入口設置情報管理装置３１と、駐輪場の管理室内等に配置される管理室設置情報管理装置３２とを有する。駐輪場の利用者は、駐輪場入口に備え付けられ入口設置情報管理装置３１に表示された利用状況を参照し、空き場所を探す。管理室設置情報管理装置３２は、ホストシステム２０が有する記憶装置２２内の契約者データベース２２ａに契約者情報を登録及び更新すること、記憶装置２２内の利用状況データベース２２ｂから利用状況を参照して表示可能に構成されている。ただし、情報管理装置３０の機能は、上記の機能の他、利用に応じて他の種々の機能を有するのでもよい。情報管理装置３０は、記憶装置２２内の駐輪場データベース２２ｃから他駐輪場に関する情報を取得し、取得した情報に基づいて他駐輪場駐輪状況監視システム５０に接続し、他駐輪場の利用状況を参照することができる。
【００２１】
ネットワーク４０は、例えば、駐輪監視装置１０、ホストシステム２０、及び情報管理装置３０を接続するＬＡＮ（Ｌｏｃａｌ  Ａｒｅａ  Ｎｅｔｗｏｒｋ）４１と、他駐輪場駐輪状況監視システム５０への接続を可能にする公衆回線網４２とによって構成される。
【００２２】
図３は、契約者データベースに記録される契約情報についての説明図である。契約情報は、例えば、図３に示すように、契約ＩＤ、契約者を特定する情報、契約内容に関する情報等からなる。ここで、契約者を特定する情報は例えば契約者氏名Ｌ１２及び契約者連絡先Ｌ１３からなり、契約内容に関する情報は例えば契約期間Ｌ１４からなる。契約情報は、契約毎に、契約ＩＤＬ１１、契約者氏名Ｌ１２、契約者連絡先Ｌ１３、契約期間Ｌ１４等が対応して記録される。
【００２３】
図４は、利用状況データベースに記録される利用状況情報についての説明図である。利用状況情報は、例えば、図４に示すように、駐輪監視装置１０を特定する駐輪機器ＩＤＬ２１、利用状況Ｌ２２、駐輪開始時間Ｌ２３、契約ＩＤＬ２４、利用料Ｌ２５等を有する。ここで、駐輪機器ＩＤＬ２１は、「−」の左側の数字が駐輪場の階数を表し、右側の記号がその階の駐輪場を特定するように構成されるのでもよい。また、契約ＩＤＬ２４には、利用状況Ｌ２２が利用状態を示す場合、定期契約利用者については契約情報が記録され、一時利用者については何も記録されないのでもよい。
【００２４】
図５は、ＩＣタグ読取機能付駐輪監視装置の構成を示すブロック図である。ＩＣタグ読取機能付駐輪監視装置１１は、例えば、赤外線センサ、圧力センサ等からなり、駐輪されたことを検知するセンサ部１１ａと、自転車に貼付されたＩＣタグから情報を読取るリーダ部１１ｂと、自転車を固定するためのロック部１１ｃと、センサ部１１ａ、リーダ部１１ｂ及びロック部１１ｃを制御すると共に情報処理するデータ処理部１１ｄと、ホストシステム２０及び情報管理装置３０との間でデータの送受信を行う送受信部１１ｅと、メッセージ等の所定の情報を表示するメッセージ表示部１１ｆとを有する。ここで、ロック部１１ｃについては、例えば管理者のみがロックを解除できるものとするが、契約が有効な契約者等の所定の利用者も解除できるようになっているのでもよい。
【００２５】
図６は、ＩＣタグ読取機能付駐輪監視装置が行う処理の流れを示すフローチャートである。
まず、センサ部１１ａが、自転車の駐輪を検知し、データ処理部１１ｄに検知情報として出力する（Ｓ６０１）。次に、検知情報に基づいて、リーダ部１１ｂが、データ処理部１１ｄによって制御され、ＩＣタグに記録された契約ＩＤを読み出す（Ｓ６０２）。次に、データ処理部１１ｄが、契約ＩＤがリーダ部１１ｂから適切に取得できたか否かを判定する（Ｓ６０３）。
【００２６】
ステップＳ６０３で契約ＩＤが適切に取得できなかったと判定した場合、処理はステップＳ６０４に移り、データ処理部１１ｄが、この駐輪場を利用できない旨の警告メッセージをメッセージ表示部１１ｆに表示し（Ｓ６０４）、一定時間経過後も駐輪されたままであるかを判定する（Ｓ６０５）。ステップＳ６０５で駐輪されたままと判定した場合は、ロック部１１ｃを介して自転車を移動できないようにロックし（Ｓ６０６）、自転車が取り外されたと判定した場合、処理はステップＳ６０１に戻る。
【００２７】
ステップＳ６０３で契約ＩＤが適切に取得できたと判定した場合、処理はステップＳ６０７に進み、データ処理部１１ｄが、ホストシステム２０に契約ＩＤを送信し（Ｓ６０７）、ホストシステム２０側で行われる契約ＩＤの検索結果等の処理（契約チェック処理）の結果を待って受信し（Ｓ６０８）、契約が有効か否かを判定する（Ｓ６０９）。
【００２８】
ステップＳ６０９で契約が有効であると判定した場合、データ処理部１１ｄがメッセージ表示部１１ｆを介して、手続きが完了したことを示す完了メッセージを表示し（Ｓ６１０）、契約が有効でないと判定した場合、処理はステップＳ６０４に移り、ステップＳ６０４以降の上記の処理を繰り返す。ここで、契約が有効でないと判定する例としては、契約期間外、不正な契約ＩＤの入力等の場合がある。
【００２９】
ステップＳ６０６で自転車をロックし、または、ステップＳ６１０で完了メッセージを表示ししたとき、データ処理部１１ｄが、ホストシステム２０に駐輪手続きの完了を示す情報を送信し、ＩＣタグ読取機能付駐輪監視装置が行う処理が終了する（Ｓ６１１）。
【００３０】
図７は、ホストシステムが行う契約チェック処理を説明するためのフローチャートである。
まず、送受信部２１ｃがＩＣタグ読取機能付駐輪監視装置１１から契約ＩＤを受信し（Ｓ７０１）、検索処理部２１ｂが、利用日と契約ＩＤをキーワードとして契約者データベースを検索し（Ｓ７０２）、一致する契約ＩＤが検索され利用日が契約期間内であるか否かを判定する（Ｓ７０３）。
【００３１】
一致する契約ＩＤが検索され利用日が契約期間内であると判定された場合、検索処理部２１ｂは、有効な契約と判定されるため、駐輪監視装置１１への戻り値にＯＫを設定する（Ｓ７０４）。一致する契約ＩＤが検索されない場合又は利用日が契約期間外であると判定された場合、駐輪監視装置への戻り値にＮＧを設定する（Ｓ７０５）。ステップＳ７０４又はＳ７０５で戻り値が設定されたとき、戻り値を判定結果として駐輪監視装置１１に送信する（Ｓ７０６）。
【００３２】
図８は、課金機能付駐輪監視装置の構成を示すブロック図である。課金機能付駐輪監視装置１２は、ＩＣタグ読取機能付駐輪監視装置と同様の、センサ部１２ａと、ロック部１２ｃと、データ処理部１２ｄと、送受信部１２ｅと、メッセージ表示部１２ｆと、を有する。課金機能付駐輪監視装置１２は、また、ＩＣタグ読取機能付駐輪監視装置のリーダ部に代えて、利用者がかざしたＩＣカード３ｂの情報を読み取り、又はＩＣチップ内蔵携帯電話３ｃと送受信し、利用料を徴収するリーダ／ライタ部１２ｂを有する。なお、データ処理部１２ｄは、利用料等の一時利用に関する所定の情報を自己が保持するものとするが、ホスト２０と通信して、この情報を取得できるようになっているのでもよい。ここで、ロック部１２ｃについては、例えば管理者のみがロックを解除できるものとするが、契約が有効な所定の利用者も解除できるようになっているのでもよい。
【００３３】
図９は、課金機能付駐輪監視装置が行う処理の流れを示すフローチャートである。
まず、センサ部１２ａが、自転車の駐輪を検知し、データ処理部１２ｄに検知情報として出力する（Ｓ９０１）。次に、検知情報に基づいて、リーダ／ライタ部１２ｂが、データ処理部１２ｄによって制御され、利用者がかざしたＩＣカード、ＩＣチップ内蔵携帯電話等から電子マネーの残高の情報を取得する（Ｓ９０２）。次に、データ処理部１２ｄが、電子マネーの残高の情報がリーダ／ライタ部１２ｂから適切に取得できたか否かを判定する（Ｓ９０３）。
【００３４】
ステップＳ９０３で電子マネーの残高の情報が適切に取得できなかったと判定した場合、処理はステップＳ９０４に移り、データ処理部１２ｄが、この駐輪場を利用できない旨の警告メッセージをメッセージ表示部１２ｆに表示し（Ｓ９０４）、一定時間経過後も駐輪されたままであるかを判定する（Ｓ９０５）。ステップＳ９０５で駐輪されたままと判定した場合は、ロック部１２ｃを介して自転車を移動できないようにロックし（Ｓ９０６）、自転車が取り外されたと判定した場合、処理はステップＳ９０１に戻る。
【００３５】
ステップＳ９０３で電子マネーの残高の情報が適切に取得できたと判定した場合、処理はステップＳ９０７に進み、データ処理部１２ｄが、利用料と比較して残高が充分か否かを判定する（Ｓ９０７）。
【００３６】
ステップＳ９０７で利用料と比較して残高が充分であると判定した場合、データ処理部１２ｄがリーダ／ライタ部１２ｂを介して、利用料を差し引いた金額を対応するＩＣカード又はＩＣチップ内蔵携帯電話に書き込み（Ｓ９０８）、データ処理部１２ｄがメッセージ表示部１２ｆを介して、手続きが完了したことを示す完了メッセージを表示する（Ｓ９０９）。ステップＳ９０７で残高が充分でないと判定した場合、処理はステップＳ９０４に移り、ステップＳ９０４以降の上記の処理を繰り返す。
【００３７】
ステップＳ９０６で自転車をロックし、または、ステップＳ９０９で完了メッセージを表示ししたとき、データ処理部１２ｄが、ホストシステム２０に駐輪手続きの完了を示す情報を送信し、ＩＣタグ読取機能付駐輪監視装置が行う処理が終了する（Ｓ９１０）。
【００３８】
図１０、図１２、及び図１３は、情報管理装置が表示する画面の一実施例を示す図である。利用者、管理者等の情報管理装置を参照する人の相違と、自駐輪場の利用状況、他駐輪場の利用状況等の情報管理装置で参照する内容の相違とによって、例えば以下の３つの画面が表示される。
【００３９】
図１０は、管理者用の利用状況表示画面の一実施例を示す図である。利用状況表示画面の表示内容は、契約者データベース２２ａと利用状況データベース２２ｂを検索して取得した情報又は取得した情報を加工したものである。利用状況表示画面の項目は、階数Ｌ３１、駐輪機器ＩＤＬ３２、駐輪開始日時Ｌ３３、契約ＩＤＬ３４、利用料Ｌ３５、状態Ｌ３６等から構成され、利用状況表示画面は、常に最新の駐輪状況を画面に表示する。
【００４０】
図１１は、図１０に示す状態Ｌ３６の一覧を示す説明図である。状態Ｌ３６は、駐輪開始日時、契約ＩＤ、及び利用料の有無に基づいて判定され、これらの組合せに応じて、空きＬ４１、定期契約利用Ｌ４２、一時利用Ｌ４３、無断利用Ｌ４４、放置Ｌ４５等をとる。
【００４１】
図１２は、他駐輪場の利用状況表示画面の一実施例を示す図である。他駐輪場の利用状況を画面上に表示させるためには、例えば、以下のように操作する。まず、駐輪場検索エリア６１の検索条件欄６１ａに駐輪場を絞り込むための検索条件を入力し、検索ボタン６１ｂを押下する。これによって、ホストシステムの検索処理部が、駐輪場データベースを検索し、検索結果を駐輪場一覧エリア６２に表示する。次に、駐輪場一覧エリア６２中の参照したいデータ６２ａを選択して、表示ボタン６２ｂを押下する。これによって、ホストシステムの送受信部が、他駐輪場駐輪状況監視システム５０にネットワーク４０経由で接続し、他駐輪場駐輪状況監視システム５０の利用状況データベースから取得したデータを利用状況エリア６３に表示する。このように、他駐輪場の利用状況を参照することによって、他駐輪場の空きスペースを把握することができる。また、定期契約利用自転車の利用状況には契約ＩＤも表示されるため、盗難等により他駐輪場に停められていた場合には発見することができる。
【００４２】
図１３は、駐輪場の入口等に設けられる利用者用の利用状況表示画面の一実施例を示す図である。利用状況表示画面の表示内容は、利用状況データベースを検索して取得した情報又は取得した情報を加工したものである。利用状況表示画面は、例えば、階数７１、駐輪機器ＩＤ７２、利用中か否かを示す利用状況７３の項目について表示し、常に最新の利用状況を画面に表示する。
【００４３】
なお、上記では、ＩＣタグ読取機能付駐輪監視装置と課金機能付駐輪監視装置とが異なる装置として構成される例について説明したが、本発明は、１台の駐輪監視装置が上記の両方の駐輪監視装置の機能を併せ持つ場合についても同様に適用される。
【００４４】
また、駐輪状況監視システムが各駐輪場に設けられる例について説明したが、ホストシステムが１台、１箇所等に統合され、各駐輪場又はいずれかの駐輪場にホストシステムが配置されないように駐輪状況監視システムが構成されるのでもよい。
【００４５】
さらに、課金機能付駐輪監視装置を用いて電子マネーを徴収する実施例について記述したが、電子マネーとしては、「Ｅｄｙ」（株式会社ソニーファイナンスインターナショナルの登録商標）等のプリペイド式、「ｉＤ」（株式会社エヌ・ティ・ティ・ドコモの登録商標）等のクレジット式、その他の使用可能な方式の電子マネーを用いることができる。また、電子マネー以外でも、例えば、駐輪場独自の回数券をデジタルデータとしてＩＣチップに記録し、回数券を徴収する方式等、利用料を電磁的手法で徴収できるものでもよい。
【図面の簡単な説明】
【００４６】
【図１】本発明による駐輪状況監視システムの構成を示すブロック図である。
【図２】本発明による駐輪状況監視システムについて説明するための概念図である。
【図３】契約者データベースに記録される契約情報についての説明図である。
【図４】利用状況データベースに記録される利用状況情報についての説明図である。
【図５】ＩＣタグ読取機能付駐輪監視装置の構成を示すブロック図である。
【図６】ＩＣタグ読取機能付駐輪監視装置が行う処理の流れを示すフローチャートである。
【図７】ホストシステムが行う契約チェック処理を説明するためのフローチャートである。
【図８】課金機能付駐輪監視装置の構成を示すブロック図である。
【図９】課金機能付駐輪監視装置が行う処理の流れを示すフローチャートである。
【図１０】情報管理装置が表示する管理者用の利用状況表示画面の一実施例を示す図である。
【図１１】図１０に示す状態Ｌ３６の一覧を示す説明図である。
【図１２】情報管理装置が表示する他駐輪場の利用状況表示画面の一実施例を示す図である。
【図１３】情報管理装置が表示する利用者用の利用状況表示画面の一実施例を示す図である。
【符号の説明】
【００４７】
１  駐輪状況監視システム
２ａ  ＩＣタグが貼り付けられた自転車
２ｂ  ＩＣタグ
３ａ  一般の自転車
３ｂ  ＩＣカード
３ｃ  ＩＣチップ内蔵携帯電話
１０  駐輪監視装置
１１、１１１〜１１ｊ  ＩＣタグ読取機能付駐輪監視装置
１１ａ、１２ａ  センサ部
１１ｂ  リーダ部
１１ｃ、１２ｃ  ロック部
１１ｄ、１２ｄ  データ処理部
１１ｅ、１２ｅ  送受信部
１１ｆ、１２ｆ  メッセージ表示部
１２、１２１〜１２ｋ  課金機能付駐輪監視装置
１２ｂ  リーダ／ライタ部
２０  ホストシステム
２１  情報処理装置
２１ａ  データベース更新部
２１ｂ  検索処理部
２１ｃ  送受信部
２２  記憶装置
２２ａ  契約者データベース
２２ｂ  利用状況データベース
２２ｃ  駐輪場データベース
３０、３０１〜３０ｍ  情報管理装置
３１  入口設置情報管理装置
３２  管理室設置情報管理装置
４０  ネットワーク
４１  ＬＡＮ
４２  公衆回線網
５０、５０１〜５０ｎ  他駐輪場駐輪状況監視システム
Ｌ１１〜Ｌ１４、Ｌ２１〜Ｌ２５、Ｌ３１〜Ｌ３６  項目名
Ｌ４１〜Ｌ４５  状態
６１  駐輪場検索エリア
６１ａ  検索条件欄
６１ｂ  検索ボタン
６２  駐輪場一覧エリア
６２ａ  データ
６２ｂ  表示ボタン
６３  利用状況エリア
７１  階数
７２  駐輪機器ＩＤ
７３  利用状況
【図１】
2008117341.tif 000003
【図２】
2008117341.tif 000004
【図３】
2008117341.tif 000005
【図４】
2008117341.tif 000006
【図５】
2008117341.tif 000007
【図６】
2008117341.tif 000008
【図７】
2008117341.tif 000009
【図８】
2008117341.tif 000010
【図９】
2008117341.tif 000011
【図１０】
2008117341.tif 000012
【図１１】
2008117341.tif 000013
【図１２】
2008117341.tif 000014
【図１３】
2008117341.tif 000015